(57)【要約】【課題】光学センサを用いることなく適切にホワイトバランス調整を行うことができる液晶表示モジュールのバックライト駆動装置、及び液晶表示モジュールを提供する。【解決手段】複数の各色ＬＥＤをバックライト光源に用いる。各色ＬＥＤのうちの少なくとも１色のＬＥＤの周囲温度を検出する温度センサ１２と、温度センサ１２による少なくとも１色のＬＥＤの検出温度に基づいて、各色ＬＥＤの温度特性情報から最適ホワイトバランスを得るための各色ＬＥＤの最適電流値を算出する設定電流算出部３とが設けられている。【選択図】図１
2008003257.tif 000002
【特許請求の範囲】
【請求項１】
複数の各色ＬＥＤをバックライト光源に用いた液晶表示モジュールのバックライト駆動装置において、
上記各色ＬＥＤのうちの少なくとも１色のＬＥＤの周囲温度を検出する温度検出手段と、
上記温度検出手段による少なくとも１色のＬＥＤの検出温度に基づいて、上記各色ＬＥＤの温度特性情報から最適ホワイトバランスを得るための各色ＬＥＤの最適電流値を算出する最適電流設定手段とが設けられていることを特徴とする液晶表示モジュールのバックライト駆動装置。
【請求項２】
複数の各色ＬＥＤをバックライト光源に用いた液晶表示モジュールのバックライト駆動装置において、
上記各色ＬＥＤのうちの少なくとも１色のＬＥＤの周囲温度を検出する温度検出手段と、
上記各色ＬＥＤのデバイス固有のばらつき情報を記憶するばらつき情報記憶手段と、
上記温度検出手段による少なくとも１色のＬＥＤの検出温度に基づいて、上記各色ＬＥＤの標準的な温度特性情報と上記ばらつき情報記憶手段に記憶されたデバイス固有のばらつき情報とから最適ホワイトバランスを得るための各色ＬＥＤの最適電流値を算出する最適電流設定手段とが設けられていることを特徴とする液晶表示モジュールのバックライト駆動装置。
【請求項３】
前記各色ＬＥＤの温度特性情報を記憶する温度特性情報記憶手段が設けられていることを特徴とする請求項１又は２記載の液晶表示モジュールのバックライト駆動装置。
【請求項４】
前記温度特性情報記憶手段は、各色ＬＥＤの標準的な温度特性情報を外部からロード可能になっていることを特徴とする請求項３記載の液晶表示モジュールのバックライト駆動装置。
【請求項５】
前記ばらつき情報記憶手段は、使用している各色ＬＥＤにおけるデバイス固有のばらつき情報を外部からロード可能になっていることを特徴とする請求項１、２又は３記載の液晶表示モジュールのバックライト駆動装置。
【請求項６】
前記最適電流設定手段は、各色ＬＥＤの最適電流値を算出するときに、前記温度検出手段による少なくとも１色のＬＥＤの検出温度に対応する温度特性情報がない場合には、該検出温度に対応する温度特性情報を直線補間にて求めることを特徴とする請求項１〜５のいずれか１項に記載の液晶表示モジュールのバックライト駆動装置。
【請求項７】
前記温度検出手段からのアナログデータからなる周囲温度情報をデジタルデータからなる周囲温度情報に変換するときに、ヒステリシス特性を用いることを特徴とする請求項１〜６のいずれか１項に記載の液晶表示モジュールのバックライト駆動装置。
【請求項８】
前記各色ＬＥＤは、赤（Ｒ）・緑（Ｇ）・青（Ｂ）のＬＥＤからなっていることを特徴とする請求項１〜７のいずれか１項に記載の液晶表示モジュールのバックライト駆動装置。
【請求項９】
請求項１〜８のいずれか１項に記載の液晶表示モジュールのバックライト駆動装置を備えていることを特徴とする液晶表示モジュール。
【発明の詳細な説明】
【技術分野】
【０００１】
本発明は、例えば赤（Ｒ）・緑（Ｇ）・青（Ｂ）の各色ＬＥＤをバックライト光源に用いた液晶表示モジュールのバックライト駆動装置、及び液晶表示モジュールに関するものである。
【背景技術】
【０００２】
携帯電話機やＰＤＡ（Personal Data Assistant）等の電池駆動型の携帯機器では、ＬＥＤ（Light-Emitting Diode）素子をＬＣＤ（Liquid Crystal Display）のバックライトや付属のＣＣＤ（Charge-Coupled Device）カメラのフラッシュとして用いたり、発光色の異なるＬＥＤ素子を点滅させてイルミネーションとして用いたりする等、各種の目的でＬＥＤ素子が利用されている。
【０００３】
上記ＬＥＤ素子は電流に比例して発光量が増加する特性をもつが、発光効率はＬＥＤ素子の温度に依存しており、電流増加で素子温度が上昇すると、発熱により発光効率が急激に低下する。したがって、ＬＥＤ素子の発光制御の際、発熱の問題を考慮することが必要となる。
【０００４】
そこで、例えば、特許文献１では、ＬＥＤ等の半導体発光素子の温度を検出する温度検出手段を設け、この温度検出手段の出力を用いて発光素子の駆動電流を制御する駆動回路が開示されている。
【０００５】
しかしながら、特許文献１の駆動回路では、発光素子の周囲温度を検出するための温度センサが必要となり、駆動回路の製造コストが高くなる。そこで、例えば、特許文献２では、ＬＥＤ素子の順方向電圧Ｖｆと周囲温度Ｔａとの関係を予め求めておき、検出された順方向電圧Ｖｆから周囲温度Ｔａを求めることにより、発光素子の駆動電流を制御する補正している。したがって、これにより、温度センサを不要としている。
【０００６】
ところで、地上波アナログカラーテレビ放送の方式であるＮＴＳＣ（National Television Standards Committee）規格による色域に対する比率であるＮＴＳＣ比の向上、及び色再現性の向上を図る方法として、バックライト用光源を白色ＬＥＤではなく、赤（Ｒ）・緑（Ｇ）・青（Ｂ）の各ＬＥＤ（以下「Ｒ・Ｇ・Ｂ−ＬＥＤ」という。）を使用した場合、各色の温度−相対光度特性が異なっているため、各ＬＥＤの温度によって、色がずれるという弊害が生じてしまう。この結果、適正なホワイトバランスが得られなくなる。
【０００７】
上記色ずれを防ぐ方法として、例えば、テレビ等に用いられる液晶表装置では、バックライトの導光板等に設置された光学センサにより赤（Ｒ）・緑（Ｇ）・青（Ｂ）の各色の状態を判別し、フィードバックすることによりホワイトバランスを制御する方法が一般にとられている。
【特許文献１】特開２００２−６４２２３号公報（平成１４年２月２８日公開）
【特許文献２】特開２００５−１２９５９８号公報（平成１７年５月１９日公開）
【発明の開示】
【発明が解決しようとする課題】
【０００８】
しかしながら、上記従来の方法では、光学センサをバックライト部に設置しなければならないため、例えばモバイル系の液晶表示モジュールには、サイズ面から適用できないのが現状である。
【０００９】
本発明は、上記従来の問題点に鑑みなされたものであって、その目的は、光学センサを用いることなく適切にホワイトバランス調整を行うことができる液晶表示モジュールのバックライト駆動装置、及び液晶表示モジュールを提供することにある。
【課題を解決するための手段】
【００１０】
本発明の液晶表示モジュールのバックライト駆動装置は、上記課題を解決するために、上記各色ＬＥＤのうちの少なくとも１色のＬＥＤの周囲温度を検出する温度検出手段と、上記温度検出手段による少なくとも１色のＬＥＤの検出温度に基づいて、上記各色ＬＥＤの温度特性情報から最適ホワイトバランスを得るための各色ＬＥＤの最適電流値を算出する最適電流設定手段とが設けられていることを特徴としている。
【００１１】
上記の発明によれば、上記各色ＬＥＤのうちの少なくとも１色のＬＥＤの周囲温度が温度検出手段によって検出される。この温度検出手段は、例えば、温度センサとすることができ、各色ＬＥＤから出射された光から各色の状態を判別する光学センサに比べて小さいので、取り付けが容易である。また、光学センサを取り付ける場所がないモバイル系の液晶表示モジュールにおけるホワイトバランス調整として特に好ましい。
【００１２】
また、本発明では、最適電流設定手段は、温度検出手段による少なくとも１色のＬＥＤの検出温度に基づいて、各色ＬＥＤの温度特性情報から最適ホワイトバランスを得るための各色ＬＥＤの最適電流値を算出する。
【００１３】
したがって、各色ＬＥＤが温度上昇してホワイトバランスがずれたとしても、最適ホワイトバランスを得るための各色ＬＥＤの最適電流値を算出することによって、最適ホワイトバランスが確保される。
【００１４】
この結果、光学センサを用いることなく適切にホワイトバランス調整を行うことができる液晶表示モジュールのバックライト駆動装置を提供することができる。
【００１５】
ところで、各色ＬＥＤには、デバイス固有のばらつきが存在するものであり、このばらつき情報を考慮しなければ、ホワイトバランス調整としては不十分である。
【００１６】
そこで、本発明の液晶表示モジュールのバックライト駆動装置は、上記課題を解決するために、複数の各色ＬＥＤをバックライト光源に用いた液晶表示モジュールのバックライト駆動装置において、上記各色ＬＥＤのうちの少なくとも１色のＬＥＤの周囲温度を検出する温度検出手段と、上記各色ＬＥＤのデバイス固有のばらつき情報を記憶するばらつき情報記憶手段と、上記温度検出手段による少なくとも１色のＬＥＤの検出温度に基づいて、上記各色ＬＥＤの標準的な温度特性情報と上記ばらつき情報記憶手段に記憶されたデバイス固有のばらつき情報とから最適ホワイトバランスを得るための各色ＬＥＤの最適電流値を算出する最適電流設定手段とが設けられていることを特徴としている。
【００１７】
すなわち、本発明では、前記発明の構成に加えて、各色ＬＥＤのデバイス固有のばらつき情報を記憶するばらつき情報記憶手段が設けられており、最適電流設定手段は、温度検出手段による少なくとも１色のＬＥＤの検出温度に基づいて、上記温度特性情報記憶手段に記憶された温度特性情報と上記ばらつき情報記憶手段に記憶されたデバイス固有のばらつき情報とから最適ホワイトバランスを得るための各色ＬＥＤの最適電流値を算出する。
【００１８】
この結果、本発明では、各色ＬＥＤのデバイス固有のばらつきを考慮した最適ホワイトバランス調整を行うことができる。
【００１９】
また、本発明の液晶表示モジュールのバックライト駆動装置では、前記各色ＬＥＤの温度特性情報を記憶する温度特性情報記憶手段が設けられていることが好ましい。
【００２０】
これにより、各色ＬＥＤの温度特性情報は、温度特性情報記憶手段から求めることができる。
【００２１】
また、本発明の液晶表示モジュールのバックライト駆動装置では、前記温度特性情報記憶手段は、各色ＬＥＤの標準的な温度特性情報を外部からロード可能になっていることが好ましい。
【００２２】
これにより、温度特性情報を固定化されたものとするのではなく、随時、適切な温度特性情報に更新することができる。
【００２３】
また、本発明の液晶表示モジュールのバックライト駆動装置では、前記ばらつき情報記憶手段は、使用している各色ＬＥＤにおけるデバイス固有のばらつき情報を外部からロード可能になっていることが好ましい。
【００２４】
これにより、ばらつき情報を固定化されたものとするのではなく、使用している各色ＬＥＤに合せて、随時、適切なばらつき情報に更新することができる。
【００２５】
また、本発明の液晶表示モジュールのバックライト駆動装置では、前記最適電流設定手段は、各色ＬＥＤの最適電流値を算出するときに、前記温度検出手段による少なくとも１色のＬＥＤの検出温度に対応する温度特性情報がない場合には、該検出温度に対応する温度特性情報を直線補間にて求めることが好ましい。
【００２６】
これにより、温度特性情報記憶手段の記憶容量が増大するのを防止することができる。
【００２７】
また、本発明の液晶表示モジュールのバックライト駆動装置では、前記温度検出手段からのアナログデータからなる周囲温度情報をデジタルデータからなる周囲温度情報に変換するときに、ヒステリシス特性を用いることが好ましい。
【００２８】
これにより、上記温度検出手段からの周囲温度情報に基づく制御において、ヒステリシス特性を付加し、動作に安定性を持たせることができる。
【００２９】
また、本発明の液晶表示モジュールのバックライト駆動装置では、前記各色ＬＥＤは、赤（Ｒ）・緑（Ｇ）・青（Ｂ）のＬＥＤからなっていることが好ましい。
【００３０】
これにより、一般的な赤（Ｒ）・緑（Ｇ）・青（Ｂ）のＬＥＤを用いる場合において、光学センサを用いることなく適切にホワイトバランス調整を行うことができる液晶表示モジュールのバックライト駆動装置を提供することができる。
【００３１】
また、本発明の液晶表示モジュールは、上記課題を解決するために、上記記載の液晶表示モジュールのバックライト駆動装置を備えていることを特徴としている。
【００３２】
したがって、光学センサを用いることなく適切にホワイトバランス調整を行うことができる液晶表示モジュールを提供することができる。
【発明の効果】
【００３３】
本発明の液晶表示モジュールのバックライト駆動装置は、以上のように、各色ＬＥＤのうちの少なくとも１色のＬＥＤの周囲温度を検出する温度検出手段と、上記各色ＬＥＤの温度特性情報を記憶する温度特性情報記憶手段と、上記温度検出手段による少なくとも１色のＬＥＤの検出温度に基づいて、上記温度特性情報記憶手段に記憶された温度特性情報から最適ホワイトバランスを得るための各色ＬＥＤの最適電流値を算出する最適電流設定手段とが設けられているものである。
【００３４】
また、本発明の液晶表示モジュールのバックライト駆動装置は、以上のように、各色ＬＥＤのうちの少なくとも１色のＬＥＤの周囲温度を検出する温度検出手段と、上記各色ＬＥＤのデバイス固有のばらつき情報を記憶するばらつき情報記憶手段と、上記温度検出手段による少なくとも１色のＬＥＤの検出温度に基づいて、上記各色ＬＥＤの標準的な温度特性情報と上記ばらつき情報記憶手段に記憶されたデバイス固有のばらつき情報とから最適ホワイトバランスを得るための各色ＬＥＤの最適電流値を算出する最適電流設定手段とが設けられているものである。
【００３５】
また、本発明の液晶表示モジュールは、上記バックライト駆動装置を備えているものである。
【００３６】
それゆえ、光学センサを用いることなく適切にホワイトバランス調整を行うことができる液晶表示モジュールのバックライト駆動装置、及び液晶表示モジュールを提供するという効果を奏する。
【発明を実施するための最良の形態】
【００３７】
本発明の一実施形態について図１ないし図８に基づいて説明すれば、以下の通りである。
【００３８】
最初に、本実施の形態の液晶表示モジュールのバックライト駆動装置、及び液晶表示モジュールにおけるホワイトバランス調整のための駆動原理について、図２〜図４に基づいて説明する。図２は、地上波アナログカラーテレビ放送の方式であるＮＴＳＣ（National Television Standards Committee）規格による色域を示す図であり、図３は、赤（Ｒ）・緑（Ｇ）・青（Ｂ）の各ＬＥＤ（以下「Ｒ・Ｇ・Ｂ−ＬＥＤ」という。）の各色域を示す図であり、図４は各Ｒ・Ｇ・Ｂ−ＬＥＤにおける相対光度と周囲温度との関係を示す図である。
【００３９】
上記図２に示すＮＴＳＣ規格による色域に対して、通常、白色ＬＥＤを光源としたバックライトを用いた液晶表示モジュールでは、色再現範囲は、図３に示すように、図２に比べて、非常に狭いものになってしまう。そこで、この問題を解決するために、Ｒ・Ｇ・Ｂ−ＬＥＤが、大型の液晶表示モジュール等で採用されている。
【００４０】
ところで、上記Ｒ・Ｇ・Ｂ−ＬＥＤは、２５℃のときの光度を１とした場合、図４に示すように、各色毎に温度に対するその変化が大きく異なっている。このため、補正を行わなければ、温度に伴って色が白からずれる結果となる。すなわち、ホワイトバランスがずれることになる。
【００４１】
これを防ぐためには、図４に示す特性に基づいて、各Ｒ・Ｇ・Ｂ−ＬＥＤの光度が１となるよう温度に基づき補正をかければよいこととなる。
【００４２】
そこで、本実施の形態の液晶表示モジュールは、図１に示すように、各Ｒ・Ｇ・Ｂ−ＬＥＤのうちの少なくとも１色のＬＥＤの周囲温度を検出する温度検出手段としての温度センサ１２を備え、この温度センサ１２からの検出温度に基づいてホワイトバランスを調整するバックライト駆動装置１０を備えている。図１は、例えば、Ｒ−ＬＥＤを駆動するためのバックライト駆動装置１０を示している。したがって、実際には、バックライト駆動装置１０は、各Ｒ・Ｇ・Ｂ−ＬＥＤに応じて、３個設けられている。ただし、温度センサ１２は、全てのＲ・Ｇ・Ｂ−ＬＥＤに対して１個でもよい。
【００４３】
すなわち、本実施の形態のバックライト駆動装置１０は、各色のＬＥＤ毎に、温度特性情報記憶手段としてのＬＥＤ温度特性データ記憶部１と、ばらつき情報記憶手段としてのばらつき補正データ記憶部２と、最適電流設定手段としての設定電流算出部３と、可変電流生成部４と、ＰＷＭ（Pulse Wide Modulation）回路５とを有している。
【００４４】
上記ＬＥＤ温度特性データ記憶部１は、上記各色ＬＥＤの標準的な温度特性情報を記憶している。また、ばらつき補正データ記憶部２は、各色ＬＥＤのデバイス固有のばらつき情報を記憶している。これらＬＥＤ温度特性データ記憶部１におけるＲ・Ｇ・Ｂ−ＬＥＤの標準的な温度特性情報、及びばらつき補正データ記憶部２における使用している各Ｒ・Ｇ・Ｂ−ＬＥＤのデバイス固有のばらつき情報は、例えば、ＥＥＰ−ＲＯＭ１１にて外部からロード可能になっていることが好ましい。ただし、必ずしもこれに限らず、他の記憶媒体からロードすることも可能である。
【００４５】
上記設定電流算出部３は、上記温度センサ１２による少なくとも１色のＬＥＤの検出温度に基づいて、ＬＥＤ温度特性データ記憶部１に記憶された温度特性情報とばらつき補正データ記憶部２に記憶されたデバイス固有のばらつき情報とから最適ホワイトバランスを得るための各Ｒ・Ｇ・Ｂ−ＬＥＤの最適電流値を算出するようになっている。
【００４６】
上記可変電流生成部４は、設定電流算出部３にて設定した電流を生成する。また、ＰＷＭ回路５は、各Ｒ・Ｇ・Ｂ−ＬＥＤをパルス駆動する。すなわち、ＰＷＭ回路５は、各Ｒ・Ｇ・Ｂ−ＬＥＤと図示しない定電流源との間を遮断または導通するスイッチ素子を含み、パルス信号によりスイッチ素子をオンオフ制御する。したがって、ＰＷＭ回路５が発生するパルス信号がＨレベルになると、スイッチ素子がオンになり、定電流源から各Ｒ・Ｇ・Ｂ−ＬＥＤに駆動電流が供給される。一方、パルス信号がＬレベルになると、スイッチ素子がオフになり、各Ｒ・Ｇ・Ｂ−ＬＥＤへの駆動電流の供給は停止する。
【００４７】
ここで、本実施の形態では、図５に示すように、各Ｒ・Ｇ・Ｂ−ＬＥＤを収納したパッケージ１３が、図示しない導光板の縁に１列に例えば４個設けられている。ただし、このパッケージ１３の個数は、液晶表示モジュールの大きさによって、随時変更可能である。
【００４８】
また、温度センサ１２を例えば一個設ける場合の設置場所は、同図に示すように、例えば、パッケージ１３が１列に例えば４個個並んでいる場合には、その中央に設けることができる。これにより、パッケージ１３の周囲温度を測定することが可能である。また、温度センサ１２は小さいので、容易にパッケージ１３の周囲に設けることができる。
【００４９】
上記構成の液晶表示モジュールにおけるバックライト駆動装置１０の駆動方法について、以下に説明する。
【００５０】
先ず、温度センサ１２の温度情報は、図６に示すように、検出電圧Ｖｔ（Ｖ）で与えられ、この検出電圧Ｖｔは周囲温度Ｔａに比例している。したがって、検出電圧Ｖｔがわかれば、周囲温度Ｔａが分かる。
【００５１】
本実施の形態では、図４に示すように、基準温度２５℃の時の相対光度を１としているので、検出した周囲温度Ｔａにおける相対光度が２５℃と比べて何倍になっているかを算出する。この差異に基づいて、各Ｒ・Ｇ・Ｂ−ＬＥＤに流す理想的な電流値を求める。
【００５２】
例えば、図４に示すように、Ｇ−ＬＥＤの光度は、７０℃においては、基準温度である２５℃に対して０．９倍になる。
【００５３】
したがって、このＧ−ＬＥＤの順電流−相対光度特性が、順電流２０ｍＡのときに相対光度が１であり、順電流４０ｍＡでは相対光度が２になるという比例関係にあるとすると、１／０．９倍＝１．１１倍であるので、元の光度を維持するためには約２２ｍＡを流せばよいこととなる。
【００５４】
この駆動制御は、ＥＥＰ−ＲＯＭ１１から読み込んだ各Ｒ・Ｇ・Ｂ−ＬＥＤの温度特性データと温度センサ１２からの検出した温度情報とにより、設定電流算出部３にて目標値を決定し、可変電流生成部４を制御することにより実現される。
【００５５】
また、ばらつき補正データ記憶部２に記憶されたばらつき補正データにより、図７に示すように、増幅、シフトと言った微調整をオフセット値２２として設定電流に加えることができる。
【００５６】
すなわち、通常、一つのバックライトには複数の各Ｒ・Ｇ・Ｂ−ＬＥＤを使用する。各Ｒ・Ｇ・Ｂ−ＬＥＤにはばらつきがあるため、同一の電流を流したとしても微妙な色の差を生じることが考えられる。同一ロットの製品が組み合わされるのが一般的なため、個体差が表示に与える影響は少ないと考えられる。しかしながら、異なるロット間では表示に影響を与える可能性が考えられる。
【００５７】
そこで、本実施の形態では、上記ＬＥＤ温度特性データ記憶部１における後述するテーブルの値に調整機能を付加するために、図１に示すように、ばらつき補正データ記憶部２を設けて、ばらつき補正を行っている。
【００５８】
ここでは、図７に示すように、オフセット値２２を基にテーブル値に加減算を行い、ロット毎のばらつきに対応する。デジタル的に構成するのであれば、単に加減算回路とオフセット値２２の設定回路とを組み込むだけで実現できる。このように、本実施の形態では、基準のＬＥＤ温度特性データに対して、どの程度ずれているかによって、補正するようになっている。
【００５９】
また、ＰＷＭ回路５は、外部から指示された明るさデータに対応したＰＷＭを発生することにより、輝度調整に対応することができる。
【００６０】
本実施の形態のバックライト駆動装置１０では、上記の駆動制御を、各Ｒ・Ｇ・Ｂ−ＬＥＤについて行う。
【００６１】
ここで、設定電流算出部３における電流値の求め方はいくつかの方法が考えられるが、デジタル制御方式を用いるのであれば、一般的にテーブル方式が考えられる。
【００６２】
すなわち、温度センサ１２からの温度情報である検出電圧ＶｔをＡ／Ｄ変換し、デジタル的なテーブルにて、電流値を求めることができる。本実施の形態では、図１に示すＬＥＤ温度特性データ記憶部１は、温度特性データをデジタル的なテーブルにて記憶している。また、上記ＬＥＤ温度特性データ記憶部１は、この求める電流値を回路で固定するのではなく、ＥＥＰ−ＲＯＭ１１等により読み出して、上記のテーブルの値を更新することにより、任意に設定可能としている。
【００６３】
ここで、温度センサ１２からの情報を、例えば１度刻みでデジタル的に制御した場合、−２０〜７０度を制御範囲とする場合には、Ｒ・Ｇ・Ｂ−ＬＥＤ毎に９１個のテーブルを持たなければならず、記憶するデータ量が多くなる。
【００６４】
ところが、図４をみれば、各Ｒ・Ｇ・Ｂ−ＬＥＤの特性は何点かのポイントを抑えた直線補間にて代替できることが推定される。
【００６５】
そこで、ＬＥＤ温度特性データ記憶部１におけるテーブルにおいては、相対光度と周囲温度Ｔａとの関係を示す何点かのデータを記憶し、記憶されている二点の間は直線補間により求める。これにより、記憶量の削減を図っている。なお、直線補間は一般的な技術であるので、この技術に関しては説明をしない。
【００６６】
また、本実施の形態では、温度センサ１２における検出電圧Ｖｔから周囲温度Ｔａを求めるときに、以下の工夫をしている。
【００６７】
すなわち、一般的に、アナログ信号をデジタル化する場合、閾値を境にデジタル的にいずれか一方値に変換される。今、温度センサ１２の検出レベルがある値のこの閾値上にあった場合、閾値に対して上か下かの判別が揺らぐ場合がある。判別が揺らいだ場合には、テーブルの値は揺らぎに応じて変化し、画面にちらつきとして視認される可能性が出てくる。そこで、このような現象を抑えるため、例えば、ヒステリシスを用いることが可能である。例えば、図８に示すように、一般的には、直線で示すように、検出電圧Ｖｔが例えば５（Ｖ）が周囲温度Ｔａの閾値であるとする。この場合、検出電圧Ｖｔが例えば５（Ｖ）であったときには、周囲温度Ｔａ以上とするか又は周囲温度Ｔａ未満とするかの判別が困難である。本実施の形態では、このような場合、ヒステリシス曲線に沿って、温度が上昇しているときには、検出電圧Ｖｔが例えば７（Ｖ）以上の時に周囲温度Ｔａ以上とする一方、温度が下降しているときには、検出電圧Ｖｔが例えば３（Ｖ）以下の時に周囲温度Ｔａ以下とする。これにより、安定した判別が可能となる。
【００６８】
このように、本実施の形態の液晶表示モジュールのバックライト駆動装置１０では、モバイル用の小型の液晶表示モジュールのような光学センサをバックライト２に取り付けるスペースの無い用途においても各Ｒ・Ｇ・Ｂ−ＬＥＤを使用し、色再現性の向上を図ることが可能となる。
【００６９】
また、本実施の形態では、外付け可能な各Ｒ・Ｇ・Ｂ−ＬＥＤとしても、随時、その各Ｒ・Ｇ・Ｂ−ＬＥＤの温度特性及びデバイスのばらつき特性におうじて、適切なホワイトバランス調整を行うことができるという利便性を有している。
【００７０】
また、本実施の形態では、ＬＥＤ温度特性データ記憶部１における制御に必要な温度特性データの記憶量を、補間を用いることにより、削減することができるという効果を有している。
【００７１】
さらに、本実施の形態では、温度センサ１２の出力をＡ／Ｄ変換する際の閾値近辺での揺らぎを押さえ、表示品位の向上に寄与することができる。
【産業上の利用可能性】
【００７２】
本発明は、赤（Ｒ）・緑（Ｇ）・青（Ｂ）の各色ＬＥＤをバックライト光源に用いた液晶表示モジュールのバックライト駆動装置、及び液晶表示モジュールに関するものであり、モバイル系の液晶表示モジュール及びテレビ等に用いられる液晶表示モジュールに適用が可能である。
【図面の簡単な説明】
【００７３】
【図１】本発明における液晶表示モジュールのバックライト駆動装置の実施の一形態を示すブロック図である。
【図２】地上波アナログカラーテレビ放送の方式であるＮＴＳＣ規格による色域を示す図である。
【図３】赤（Ｒ）・緑（Ｇ）・青（Ｂ）の各ＬＥＤの色域を示す図である。
【図４】各Ｒ・Ｇ・Ｂ−ＬＥＤにおける相対光度と周囲温度との関係を示す図である。
【図５】各Ｒ・Ｇ・Ｂ−ＬＥＤの設置状況及び温度センサの設置状況を示す平面図である。
【図６】検出電圧と周囲温度との関係を示すグラフである。
【図７】設定電流算出部における駆動制御を示す説明図である。
【図８】検出電圧から周囲温度を決定するときのヒステリシス曲線を示す図である。
【符号の説明】
【００７４】
１    ＬＥＤ温度特性データ記憶部（温度特性情報記憶手段）
２    ばらつき補正データ記憶部（ばらつき情報記憶手段）
３    設定電流算出部（最適電流設定手段）
４    可変電流生成部
５    ＰＷＭ回路
１０    バックライト駆動装置
１１    ＥＥＰ−ＲＯＭ
１２    温度センサ（温度検出手段）
１３    パッケージ
２２    オフセット値
Ｔａ    周囲温度
Ｖｔ    検出電圧
【図１】
2008003257.tif 000003
【図２】
2008003257.tif 000004
【図３】
2008003257.tif 000005
【図４】
2008003257.tif 000006
【図５】
2008003257.tif 000007
【図６】
2008003257.tif 000008
【図７】
2008003257.tif 000009
【図８】
2008003257.tif 000010